(57)【要約】  本開示の照明装置は、それぞれが第１の方向に配列された複数の第１の発光素子を含む複数の第１の発光ブロックと、それぞれが第１の方向とは異なる第２の方向に配列された複数の第２の発光素子を含み、それぞれが複数の第１の発光ブロックのそれぞれと部分的に重なり合う複数の第２の発光ブロックと、第１の発光ブロックごとに複数の第１の発光素子を発光制御すると共に、第２の発光ブロックごとに複数の第２の発光素子を発光制御する発光制御部とを備える。
2018211808.tif 000002
【特許請求の範囲】
【請求項１】
それぞれが第１の方向に配列された複数の第１の発光素子を含む複数の第１の発光ブロックと、
それぞれが前記第１の方向とは異なる第２の方向に配列された複数の第２の発光素子を含み、それぞれが前記複数の第１の発光ブロックのそれぞれと部分的に重なり合う複数の第２の発光ブロックと、
前記第１の発光ブロックごとに前記複数の第１の発光素子を発光制御すると共に、前記第２の発光ブロックごとに前記複数の第２の発光素子を発光制御する発光制御部と
を備える
照明装置。
【請求項２】
前記複数の第１の発光ブロックのそれぞれと前記複数の第２の発光ブロックのそれぞれとが重なり合うことによって前記第１の方向と前記第２の方向とに複数の部分発光ブロックが形成されている
請求項１に記載の照明装置。
【請求項３】
前記複数の部分発光ブロックにはそれぞれ、少なくとも１つの前記第１の発光素子と少なくとも１つの前記第２の発光素子とが配置されている
請求項２に記載の照明装置。
【請求項４】
前記部分発光ブロックには、前記第１の発光素子と前記第２の発光素子とがそれぞれ独立して発光制御可能な状態で１つにパッケージ化されて配置されている
請求項３に記載の照明装置。
【請求項５】
前記第１の発光素子は第１のＬＥＤチップからなり、
前記第２の発光素子は前記第１のＬＥＤチップとは独立して発光制御される第２のＬＥＤチップからなり、
前記複数の部分発光ブロックにはそれぞれ、少なくとも１つの前記第１のＬＥＤチップと少なくとも１つの前記第２のＬＥＤチップとが１つにパッケージ化されたＬＥＤパッケージが、少なくとも１つ配置されている
請求項３に記載の照明装置。
【請求項６】
前記部分発光ブロックの輝度は、前記部分発光ブロック内に配置された前記第１の発光素子の発光輝度と前記部分発光ブロック内に配置された前記第２の発光素子の発光輝度との和である
請求項３に記載の照明装置。
【請求項７】
前記発光制御部は、
前記複数の第１の発光ブロックのうちの一部の第１の発光ブロック内の前記第１の発光素子の発光輝度と、前記複数の第２の発光ブロックのうちの一部の第２の発光ブロック内の前記第２の発光素子の発光輝度とを一定の輝度となるように発光制御し、
前記一部の第１の発光ブロック以外の前記第１の発光ブロック内の前記第１の発光素子の発光輝度と、前記一部の第２の発光ブロック以外の前記第２の発光ブロック内の前記第２の発光素子の発光輝度とを可変制御する
請求項３に記載の照明装置。
【請求項８】
前記複数の第１の発光ブロックは前記第２の方向に並列的に設けられ、前記複数の第１の発光ブロックのうち、少なくとも前記第２の方向における両端に位置する発光ブロックが前記一部の第１の発光ブロックとされている
請求項７に記載の照明装置。
【請求項９】
前記複数の第２の発光ブロックは前記第１の方向に並列的に設けられ、前記複数の第２の発光ブロックのうち、少なくとも前記第１の方向における両端に位置する発光ブロックが前記一部の第２の発光ブロックとされている
請求項７に記載の照明装置。
【請求項１０】
前記一部の第１の発光ブロックまたは前記一部の第２の発光ブロックに代えて、それぞれが前記複数の第２の発光ブロックまたは前記複数の第１の発光ブロックのそれぞれと部分的に重なり合う複数の非発光ブロックをさらに備え、
前記発光制御部は、
前記一部の第１の発光ブロック内の前記第１の発光素子または前記一部の第２の発光ブロック内の前記第２の発光素子の発光輝度を一定の輝度となるように発光制御する
請求項７に記載の照明装置。
【請求項１１】
照明装置と、
前記照明装置からの照明光に基づいて画像を表示する表示パネルと
を含み、
前記照明装置は、
それぞれが第１の方向に配列された複数の第１の発光素子を含む複数の第１の発光ブロックと、
それぞれが前記第１の方向とは異なる第２の方向に配列された複数の第２の発光素子を含み、それぞれが前記複数の第１の発光ブロックのそれぞれと部分的に重なり合う複数の第２の発光ブロックと、
前記第１の発光ブロックごとに前記複数の第１の発光素子を発光制御すると共に、前記第２の発光ブロックごとに前記複数の第２の発光素子を発光制御する発光制御部と
を備える
表示装置。
【発明の詳細な説明】
【技術分野】
【０００１】
本開示は、照明装置、および表示装置に関する。
【背景技術】
【０００２】
バックライトを用いる液晶ディスプレイ等の表示装置において、コントラストを向上させる手法として、バックライトの発光エリアを複数の部分発光ブロックに分割し、各部分発光ブロックごとに発光制御を行う部分駆動（ローカルディミング）制御が知られている。
【先行技術文献】
【特許文献】
【０００３】
【特許文献１】特開２００９−２９４６３７号公報
【特許文献２】特開２０１０−５５９９８号公報
【特許文献３】特開２０１１−２４２６０４号公報
【発明の概要】
【０００４】
バックライトを部分駆動制御する場合、部分発光ブロックの数に応じた駆動回路が必要とされ得る。
【０００５】
部分駆動制御を行うための回路構成を簡略化することができる照明装置、および表示装置を提供することが望ましい。
【０００６】
本開示の一実施の形態に係る照明装置は、それぞれが第１の方向に配列された複数の第１の発光素子を含む複数の第１の発光ブロックと、それぞれが第１の方向とは異なる第２の方向に配列された複数の第２の発光素子を含み、それぞれが複数の第１の発光ブロックのそれぞれと部分的に重なり合う複数の第２の発光ブロックと、第１の発光ブロックごとに複数の第１の発光素子を発光制御すると共に、第２の発光ブロックごとに複数の第２の発光素子を発光制御する発光制御部とを備えたものである。
【０００７】
本開示の一実施の形態に係る表示装置は、照明装置と、照明装置からの照明光に基づいて画像を表示する表示パネルとを含み、照明装置は、それぞれが第１の方向に配列された複数の第１の発光素子を含む複数の第１の発光ブロックと、それぞれが第１の方向とは異なる第２の方向に配列された複数の第２の発光素子を含み、それぞれが複数の第１の発光ブロックのそれぞれと部分的に重なり合う複数の第２の発光ブロックと、第１の発光ブロックごとに複数の第１の発光素子を発光制御すると共に、第２の発光ブロックごとに複数の第２の発光素子を発光制御する発光制御部とを備えたものである。
【０００８】
本開示の一実施の形態に係る照明装置、または表示装置では、複数の第１の発光ブロックのそれぞれと複数の第２の発光ブロックのそれぞれとが重なり合うことによって第１の方向と第２の方向とに複数の部分発光ブロックが形成され得る。
【０００９】
本開示の一実施の形態に係る照明装置、または表示装置によれば、複数の第１の発光ブロックと、それぞれが複数の第１の発光ブロックのそれぞれと部分的に重なり合う複数の第２の発光ブロックとを備えるようにしたので、部分駆動制御を行うための回路構成を簡略化し得る。
なお、ここに記載された効果は必ずしも限定されるものではなく、本開示中に記載されたいずれかの効果であってもよい。
【図面の簡単な説明】
【００１０】
【図１】比較例に係る表示装置による画像の分割手法の一例を示す説明図である。
【図２】比較例に係るバックライトによる発光エリアの分割手法の一例を示す説明図である。
【図３】比較例に係る照明装置の概略を示す構成図である。
【図４】比較例に係る照明装置の回路構成の一例を示す回路図である。
【図５】本開示の第１の実施の形態に係る表示装置による画像の第１の方向への分割手法の一例を示す説明図である。
【図６】第１の実施の形態に係る表示装置による画像の第２の方向への分割手法の一例を示す説明図である。
【図７】第１の実施の形態に係る照明装置による部分駆動制御の概要を示す説明図である。
【図８】本開示の第１の実施の形態に係る照明装置の概略を示す構成図である。
【図９】第１の実施の形態に係る照明装置の回路構成の一例を示す回路図である。
【図１０】第１の実施の形態に係る照明装置の回路構成の変形例を示す回路図である。
【図１１】第２の実施の形態に係る照明装置による発光エリアの分割手法の第１の例を示す説明図である。
【図１２】第２の実施の形態に係る照明装置による部分駆動制御の第１の例の概要を示す説明図である。
【図１３】第２の実施の形態に係る照明装置による発光エリアの分割手法の第２の例を示す説明図である。
【図１４】第２の実施の形態に係る照明装置による部分駆動制御の第２の例の概要を示す説明図である。
【図１５】第２の実施の形態に係る照明装置による発光エリアの分割手法の第３の例を示す説明図である。
【図１６】第２の実施の形態に係る照明装置による部分駆動制御の第３の例の概要を示す説明図である。
【図１７】第２の実施の形態に係る照明装置による発光エリアの分割手法の第４の例を示す説明図である。
【図１８】第２の実施の形態に係る照明装置による部分駆動制御の第４の例の概要を示す説明図である。
【図１９】第３の実施の形態に係る照明装置に用いられるＬＥＤパッケージの概略を示す構成図である。
【図２０】図１９に示したＬＥＤパッケージの等価回路を示す回路図である。
【図２１】図１９に示したＬＥＤパッケージを用いた第３の実施の形態に係る照明装置の概略を示す構成図である。
【図２２】第４の実施の形態に係る照明装置の概略を示す構成図である。
【図２３】第４の実施の形態に係る照明装置における水平ブロックの概略を示す構成図である。
【図２４】第４の実施の形態に係る照明装置における垂直ブロックの概略を示す構成図である。
【図２５】第４の実施の形態に係る照明装置によって形成される部分発光ブロックの概略を示す説明図である。
【図２６】第５の実施の形態に係る表示装置の概略を示す構成図である。
【図２７】第５の実施の形態に係る表示装置の内部構成の一例を示す分解斜視図である。
【発明を実施するための形態】
【００１１】
以下、本開示の実施の形態について図面を参照して詳細に説明する。なお、説明は以下の順序で行う。
０．比較例（図１〜図４）
０．１  比較例に係る部分駆動制御の手法の概要
０．２  比較例に係る照明装置の概要
０．３  課題
１．第１の実施の形態（部分駆動制御のための回路構成を簡略化した照明装置）（図５〜図１０）
１．１  構成、および動作
１．２  効果
２．第２の実施の形態（回路構成をより簡略化した照明装置）（図１１〜図１８）
３．第３の実施の形態（ＬＥＤパッケージを用いた照明装置）（図１９〜図２１）
４．第４の実施の形態（２つの列を１発光ブロックとする照明装置）（図２２〜図２５）
５．第５の実施の形態（表示装置への適用例）（図２６〜図２７）
６．その他の実施の形態
【００１２】
＜０．比較例＞
［０．１  比較例に係る部分駆動制御の手法の概要］
図１は、比較例に係る表示装置による画像の分割手法の一例を示している。図２は、比較例に係るバックライトによる発光エリアの分割手法の一例を示している。
【００１３】
バックライトを用いる液晶ディスプレイ等の表示装置において、コントラストを向上させる手法として、図１に示したように、画像全体を複数の部分ブロックに分割し、各部分ブロックごとにバックライトの明るさを制御する部分駆動制御と呼ばれる手法がある。図１では、画像全体を第１の方向（水平方向Ｘ）に５つの部分ブロックに分割、第２の方向（垂直方向Ｙ）に４つの部分ブロックに分割し、合計で２０分割した例を示している。
【００１４】
バックライトの部分駆動制御では、例えば図２に示したように、バックライトの発光エリアを複数の部分発光ブロックに分割し、各部分発光ブロックごとに発光制御を行う。部分駆動制御では、相対的に画像の明るい部分に対応する部分発光ブロックでは発光輝度を高くし、相対的に画像の暗い部分に対応する部分発光ブロックでは発光輝度を低くする。図２では、発光エリアを図１の例に対応させて、水平方向Ｘに５つの部分発光ブロック、垂直方向Ｙに４つの部分発光ブロックとし、合計で２０個の部分発光ブロックに分割した例を示している。なお、図２の右側には、各部分発光ブロックごとの発光輝度の相対値の一例を示しているが、この値はあくまで説明上の参考値である。
【００１５】
［０．２  比較例に係る照明装置の概要］
図３は、図２に示した部分駆動制御を実現するための比較例に係る照明装置１００の概略構成を示している。図４は、比較例に係る照明装置１００の回路構成の一例を示している。
【００１６】
照明装置１００は、複数の部分発光ブロック１０１を有している。複数の部分発光ブロック１０１は、図２に示した部分駆動制御を実現するために、水平方向Ｘに５つ、垂直方向Ｙに４つ、合計で２０個設けられている。
【００１７】
複数の部分発光ブロック１０１のそれぞれには、発光部３０と制御素子４０とが設けられている。
【００１８】
発光部３０は、図４に示したように、少なくとも１つの発光素子３１を有する。発光素子３１は例えばＬＥＤ（Light Emitting Diode）からなる。
【００１９】
制御素子４０は、図４に示したように、例えば制御用ＦＥＴ（Field Effect Transistor）４１と電流制御用抵抗素子４２とを有する。
【００２０】
複数の部分発光ブロック１０１のそれぞれにおける発光部３０には、昇圧回路６０を介して電圧が供給される。
【００２１】
昇圧回路６０は、入力電圧Ｖｉｎを発光部３０で必要とされる電圧まで昇圧する回路である。昇圧回路６０は、インダクタ６１と、ダイオード６２と、例えばＭＯＳ（Metal Oxide Semiconductor）ＦＥＴ等のスイッチング素子６３とを有している。
【００２２】
複数の部分発光ブロック１０１のそれぞれにおける制御用ＦＥＴ４１は、例えばＩＣ（Integrated Circuit）からなる駆動回路５０によって制御される。
【００２３】
なお、図４の例では、複数の部分発光ブロック１０１のそれぞれにおける発光部３０に制御素子４０を設けているが、制御素子４０を駆動回路５０に含めることも可能である。
【００２４】
［０．３  課題］
比較例に係る照明装置１００では、複数の部分発光ブロック１０１のそれぞれの発光輝度を独立して制御するために、複数の部分発光ブロック１０１の数に応じた制御素子４０と駆動回路５０が必要とされる。例えば制御素子４０は、複数の部分発光ブロック１０１の数と同数分、すなわち５（水平方向Ｘにおける部分発光ブロック１０１の数）×４（垂直方向Ｙにおける部分発光ブロック１０１の数）＝２０個分、必要とされる。また、例えば１つの駆動回路５０が６ｃｈ（チャンネル）分の制御機能を有している場合、２０個の部分発光ブロック１０１を駆動するためには、例えば１つの駆動回路５０について５ｃｈ使用することで、４つの駆動回路５０が必要とされる（５ｃｈ×４つの駆動回路５０＝２０）。
【００２５】
このため、部分駆動制御を行うための回路構成を簡略化する技術の開発が望まれる。
【００２６】
＜１．第１の実施の形態＞
次に、本開示の第１の実施の形態に係る照明装置について説明する。なお、以下では、上記比較例に係る照明装置の構成要素と略同じ部分については、同一符号を付し、適宜説明を省略する。
【００２７】
本実施の形態では、回路構成を簡略化しつつ、上記比較例に係る照明装置１００と同様に、実質的に２０個の部分発光ブロック１０１による部分駆動制御が可能な照明装置の例を説明する。なお、以下で説明する発光エリアより分割される部分発光ブロック１０１の数等は一例であり、以下で説明する数に限定されるものではない。以下で説明する例よりも多い、または少ない分割数等にしてもよい。以降の他の実施の形態についても同様である。
【００２８】
［１．１  構成、および動作］
（部分駆動制御の概要）
図５および図６は、本開示の第１の実施の形態に係る表示装置による画像の分割手法の一例を示している。
【００２９】
本実施の形態に係る表示装置では、画像全体を第１の方向（水平方向Ｘ）と第２の方向（垂直方向Ｙ）との２つの異なる方向に分割している。すなわち、図５に示したように、画像全体を水平方向Ｘに区切った４つの水平画像ブロックと、図６に示したように、画像全体を垂直方向Ｙに区切った５つの垂直画像ブロックとに分割している。
【００３０】
図７は、本実施の形態に係る照明装置１による部分駆動制御の概要を示している。図８は、本実施の形態に係る照明装置１の概略構成を示している。
【００３１】
本実施の形態に係る照明装置１では、図７の上段に示したように、発光エリアを複数の水平ブロック（第１の発光ブロック）１０と、複数の垂直ブロック（第２の発光ブロック）２０との２種類の発光ブロックに分割し、水平ブロック１０ごと、および垂直ブロック２０ごとに発光制御を行う。
【００３２】
本実施の形態に係る照明装置１では、実際に発光制御されるのは、図７の上段に示したように、９ブロック（水平ブロック１０が４つ＋垂直ブロック２０が５つ）のみである。しかしながら、図７の下段に示したように、複数の水平ブロック１０のそれぞれと複数の垂直ブロック２０のそれぞれとが部分的に互いに重なり合うことによって、結果的に、上記比較例と同様に、合計で２０個の部分発光ブロック１０１が形成される。各部分発光ブロック１０１の輝度は、重なり合っている水平ブロック１０の輝度と垂直ブロック２０の輝度との和となる。なお、図７には、各ブロックごとの発光輝度の相対値の一例を示しているが、この値はあくまで説明上の参考値である。
【００３３】
（照明装置の概要）
図７の部分駆動制御を実現するために、照明装置１は、図８に示したように、複数の水平ブロック１０のそれぞれにおいて、水平方向Ｘに配列された複数の発光素子（第１の発光素子）３１を含んでいる。発光素子３１は、例えばＬＥＤチップである。また、複数の水平ブロック１０のそれぞれには、水平方向Ｘに延在する第１の基板３３が設けられている。複数の発光素子３１は、第１の基板３３上に設けられている。第１の基板３３上にある隣り合う発光素子３１同士が互いに接続されている。
【００３４】
また、照明装置１は、複数の垂直ブロック２０のそれぞれにおいて、垂直方向Ｙに配列された複数の発光素子（第２の発光素子）３２を含んでいる。発光素子３２は、例えばＬＥＤチップである。また、複数の垂直ブロック２０のそれぞれには、垂直方向Ｙに延在する第２の基板３４が設けられている。複数の発光素子３２は、第２の基板３４上に設けられている。第２の基板３４上にある隣り合う発光素子３２同士が互いに接続されている。
【００３５】
照明装置１は、複数の水平ブロック１０のそれぞれと複数の垂直ブロック２０のそれぞれとが部分的に重なり合うことで形成される部分発光ブロック１０１に、発光素子３１と発光素子３２とが少なくとも１つずつ配置されるように構成されている。１つの部分発光ブロック１０１内に配置された発光素子３１と発光素子３２とによって、１つの発光部３０が形成される。従って、各部分発光ブロック１０１の輝度は、部分発光ブロック１０１内に配置された発光素子３１の輝度と発光素子３２の輝度との和となる。
【００３６】
（回路構成）
図９は、照明装置１の回路構成の一例を示している。
【００３７】
本実施の形態に係る照明装置１では、上述したように、実際に発光制御される発光ブロックは、４つの水平ブロック１０と、５つの垂直ブロック２０である。制御素子４０と駆動回路５０は、本開示における「発光制御部」の一例であってもよい。制御素子４０と駆動回路５０は、水平ブロック１０ごと、垂直ブロック２０ごとに発光制御を行う。照明装置１を表示装置に適用した場合、駆動回路５０は、発光部３０が水平ブロック１０と垂直ブロック２０とが重なり合うことによって形成された部分発光ブロック１０１に対応する部分の画像に応じた輝度で発光するように、発光部３０の輝度を可変制御する。
【００３８】
このため、制御素子４０は、水平ブロック１０ごと、垂直ブロック２０ごとに設ければよい。すなわち、必要とされる制御素子４０の数は９個のみでよい（水平方向Ｘに５つ＋垂直方向Ｙに４つ）。
【００３９】
同様に、本実施の形態に係る照明装置１では、必要とされる駆動回路５０のｃｈ数は９つのみでよい（水平ブロック１０について４つ＋垂直ブロック２０について５つ）。例えば１つの駆動回路５０が６ｃｈ分の制御機能を有している場合、４つの水平ブロック１０と５つの垂直ブロック２０とを駆動するためには、２つの駆動回路５０のみでよい。
【００４０】
図１０は、照明装置１の回路構成の変形例の一例を示している。
【００４１】
図９の回路構成例では、水平ブロック１０と垂直ブロック２０とで昇圧回路６０を共通化しているが、水平ブロック１０内の発光素子３１の数と垂直ブロック２０内の発光素子３２の数とが異なる場合、水平ブロック１０と垂直ブロック２０とで異なる電圧が必要とされ得る。そのような場合、図１０に示したように、水平ブロック１０用の昇圧回路６０Ａと、垂直ブロック２０用の昇圧回路６０Ｂとを別々に設けるようにしてもよい。
【００４２】
なお、図９および図１０の例では、制御素子４０と駆動回路５０とを別々に設けているが、制御素子４０を駆動回路５０に含めることも可能である。
【００４３】
その他の構成、および動作は、上記比較例に係る照明装置と略同様であってもよい。
【００４４】
［１．２  効果］
以上のように、本実施の形態によれば、複数の水平ブロック１０と、それぞれが複数の水平ブロック１０のそれぞれと部分的に重なり合う複数の垂直ブロック２０とを備えるようにしたので、複数の水平ブロック１０のそれぞれと複数の垂直ブロック２０のそれぞれとが重なり合うことによって水平方向Ｘと垂直方向Ｙとに複数の部分発光ブロック１０１が形成される。これにより、部分駆動制御を行うための回路構成を簡略化し得る。
【００４５】
なお、本明細書に記載された効果はあくまでも例示であって限定されるものではなく、また他の効果があってもよい。以降の他の実施の形態の効果についても同様である。
【００４６】
＜２．第２の実施の形態＞
次に、本開示の第２の実施の形態に係る照明装置について説明する。なお、以下では、上記第１の実施の形態に係る照明装置の構成要素と略同じ部分については、同一符号を付し、適宜説明を省略する。
【００４７】
上記第１の実施の形態では、複数の水平ブロック１０のそれぞれと複数の垂直ブロック２０のそれぞれとの各発光ブロックの発光輝度を可変制御するようにしたが、一部の発光ブロックの発光輝度を一定の輝度となるように発光制御してもよい。例えば、駆動回路５０は、複数の水平ブロック１０のうちの一部の水平ブロック１０内の発光素子３１の発光輝度と、複数の垂直ブロック２０のうちの一部の垂直ブロック２０内の発光素子３２の発光輝度とを一定の輝度となるように発光制御してもよい。この場合、駆動回路５０は、一部の水平ブロック１０以外の他の水平ブロック１０内の発光素子３１の発光輝度と、一部の垂直ブロック２０以外の他の垂直ブロック２０内の発光素子３２の発光輝度とを可変制御する。これにより、駆動回路５０の回路構成をより簡略化し得る。
【００４８】
（第１の例）
図１１は、本開示の第２の実施の形態に係る照明装置による発光エリアの分割手法の第１の例を示している。図１２は、本実施の形態に係る照明装置による部分駆動制御の第１の例の概要を示している。
【００４９】
例えば、図１１の左側に示したように、上記第１の実施の形態における複数の水平ブロック１０のうち、少なくとも垂直方向Ｙにおける両端に位置する発光ブロックを輝度固定水平ブロック１１とし、常時一定の輝度となるように発光制御してもよい。この場合、複数の水平ブロック１０のうち、輝度固定水平ブロック１１以外の発光ブロックを輝度可変水平ブロック１２とし、輝度可変水平ブロック１２の発光輝度を可変制御する。
【００５０】
また、図１１の右側に示したように、上記第１の実施の形態における複数の垂直ブロック２０のうち、少なくとも水平方向Ｘにおける両端に位置する発光ブロックを輝度固定垂直ブロック２１とする。この場合、複数の垂直ブロック２０のうち、輝度固定垂直ブロック２１以外の発光ブロックを輝度可変垂直ブロック２２とし、輝度可変垂直ブロック２２の発光輝度を可変制御する。
【００５１】
図１１に示した各発光ブロックを合成することにより、上記第１の実施の形態と同様に、合計で２０個の部分発光ブロックが形成される。部分発光ブロックの合成の輝度は、図１２に示した状態となる。合成の輝度は、中央の６ブロック分の部分発光ブロックでは、輝度可変水平ブロック１２の輝度と輝度可変垂直ブロック２２の輝度との和となる。この中央の部分発光ブロックでは、輝度可変水平ブロック１２と輝度可変垂直ブロック２２とによる部分駆動制御が行われることとなる。
【００５２】
水平方向Ｘにおける左端略中央の２ブロック分の部分発光ブロックと右端略中央の２ブロック分の部分発光ブロックとでは、合成の輝度は、輝度可変水平ブロック１２の輝度と輝度固定垂直ブロック２１の輝度との和となる。この左端略中央の部分発光ブロックと右端略中央の部分発光ブロックでは、輝度可変水平ブロック１２による部分駆動制御が行われることとなる。
【００５３】
垂直方向Ｙにおける上端略中央の３ブロック分の部分発光ブロックと下端略中央の３ブロック分の部分発光ブロックとでは、合成の輝度は、輝度固定水平ブロック１１の輝度と輝度可変垂直ブロック２２の輝度との和となる。この上端略中央の部分発光ブロックと下端略中央の部分発光ブロックでは、輝度可変垂直ブロック２２による部分駆動制御が行われることとなる。
【００５４】
四隅の部分発光ブロックでは、合成の輝度は、輝度固定水平ブロック１１の輝度と輝度固定垂直ブロック２１の輝度との和となる。この四隅の部分発光ブロックでは、部分駆動制御は行われずに、常時一定の輝度となる。なお、図１１および図１２では、輝度固定水平ブロック１１と輝度固定垂直ブロック２１とを中間輝度となるように発光制御している例を示しているが、輝度固定水平ブロック１１と輝度固定垂直ブロック２１とを中間輝度以外の輝度にしてもよい。
【００５５】
（第２の例）
図１３は、本実施の形態に係る照明装置による発光エリアの分割手法の第２の例を示している。図１４は、本実施の形態に係る照明装置による部分駆動制御の第２の例の概要を示している。
【００５６】
この第２の例では、輝度固定水平ブロック１１と輝度固定垂直ブロック２１とを常時最大輝度となるように発光制御している。それ以外は、上記第１の例と略同様である。
【００５７】
（第３の例）
図１５は、本実施の形態に係る照明装置による発光エリアの分割手法の第３の例を示している。図１６は、本実施の形態に係る照明装置による部分駆動制御の第３の例の概要を示している。
【００５８】
例えば、図１５の左側に示したように、上記第１の実施の形態における複数の水平ブロック１０のうち、少なくとも垂直方向Ｙにおける両端に位置する発光ブロックを非発光水平ブロック１３としてもよい。非発光水平ブロック１３は、発光素子３１自体を配置しない構成にし、常時非点灯状態としてもよい。この場合、複数の水平ブロック１０のうち、非発光水平ブロック１３以外の発光ブロックを輝度可変水平ブロック１２とし、輝度可変水平ブロック１２の発光輝度を可変制御する。
【００５９】
また、図１５の右側に示したように、上記第１の実施の形態における複数の垂直ブロック２０のうち、少なくとも水平方向Ｘにおける両端に位置する発光ブロックを輝度固定垂直ブロック２１とする。この場合、複数の垂直ブロック２０のうち、輝度固定垂直ブロック２１以外の発光ブロックを輝度可変垂直ブロック２２とし、輝度可変垂直ブロック２２の発光輝度を可変制御する。
【００６０】
図１５に示した各発光ブロックを合成することにより、上記第１の実施の形態と同様に、合計で２０個の部分発光ブロックが形成される。部分発光ブロックの合成の輝度は、図１６に示した状態となる。合成の輝度は、中央の６ブロック分の部分発光ブロックでは、輝度可変水平ブロック１２の輝度と輝度可変垂直ブロック２２の輝度との和となる。この中央の部分発光ブロックでは、輝度可変水平ブロック１２と輝度可変垂直ブロック２２とによる部分駆動制御が行われることとなる。
【００６１】
水平方向Ｘにおける左端略中央の２ブロック分の部分発光ブロックと右端略中央の２ブロック分の部分発光ブロックとでは、合成の輝度は、輝度可変水平ブロック１２の輝度と輝度固定垂直ブロック２１の輝度との和となる。この左端略中央の部分発光ブロックと右端略中央の部分発光ブロックでは、輝度可変水平ブロック１２による部分駆動制御が行われることとなる。
【００６２】
垂直方向Ｙにおける上端略中央の３ブロック分の部分発光ブロックと下端略中央の３ブロック分の部分発光ブロックとでは、合成の輝度は、非発光水平ブロック１３の輝度と輝度可変垂直ブロック２２の輝度との和となる。このため、合成の輝度は、実質上、輝度可変垂直ブロック２２の輝度と同一となる。この上端略中央の部分発光ブロックと下端略中央の部分発光ブロックでは、輝度可変垂直ブロック２２による部分駆動制御が行われることとなる。
【００６３】
四隅の部分発光ブロックでは、合成の輝度は、非発光水平ブロック１３の輝度と輝度固定垂直ブロック２１の輝度との和となる。このため、合成の輝度は、実質上、輝度固定垂直ブロック２１の輝度と同一となる。この四隅の部分発光ブロックでは、部分駆動制御は行われずに、常時一定の輝度となる。なお、図１５および図１６では、輝度固定垂直ブロック２１を常時最大輝度となるように発光制御している例を示しているが、輝度固定垂直ブロック２１を最大輝度以外の輝度にしてもよい。
【００６４】
（第４の例）
図１７は、本実施の形態に係る照明装置による発光エリアの分割手法の第４の例を示している。図１８は、本実施の形態に係る照明装置による部分駆動制御の第４の例の概要を示している。
【００６５】
例えば、図１７の左側に示したように、上記第１の実施の形態における複数の水平ブロック１０のうち、少なくとも垂直方向Ｙにおける両端に位置する発光ブロックを輝度固定水平ブロック１１とし、常時一定の輝度となるように発光制御してもよい。この場合、複数の水平ブロック１０のうち、輝度固定水平ブロック１１以外の発光ブロックを輝度可変水平ブロック１２とし、輝度可変水平ブロック１２の発光輝度を可変制御する。
【００６６】
また、図１８の右側に示したように、上記第１の実施の形態における複数の垂直ブロック２０のうち、少なくとも水平方向Ｘにおける両端に位置する発光ブロックを非発光垂直ブロック２３としてもよい。非発光垂直ブロック２３は、発光素子３２自体を配置しない構成にし、常時非点灯状態としてもよい。この場合、複数の垂直ブロック２０のうち、非発光垂直ブロック２３以外の発光ブロックを輝度可変垂直ブロック２２とし、輝度可変垂直ブロック２２の発光輝度を可変制御する。
【００６７】
図１７に示した各発光ブロックを合成することにより、上記第１の実施の形態と同様に、合計で２０個の部分発光ブロックが形成される。部分発光ブロックの合成の輝度は、図１８に示した状態となる。合成の輝度は、中央の６ブロック分の部分発光ブロックでは、輝度可変水平ブロック１２の輝度と輝度可変垂直ブロック２２の輝度との和となる。この中央の部分発光ブロックでは、輝度可変水平ブロック１２と輝度可変垂直ブロック２２とによる部分駆動制御が行われることとなる。
【００６８】
水平方向Ｘにおける左端略中央の２ブロック分の部分発光ブロックと右端略中央の２ブロック分の部分発光ブロックとでは、合成の輝度は、輝度可変水平ブロック１２の輝度と非発光垂直ブロック２３の輝度との和となる。このため、合成の輝度は、実質上、輝度可変水平ブロック１２の輝度と同一となる。この左端略中央の部分発光ブロックと右端略中央の部分発光ブロックでは、輝度可変水平ブロック１２による部分駆動制御が行われることとなる。
【００６９】
垂直方向Ｙにおける上端略中央の３ブロック分の部分発光ブロックと下端略中央の３ブロック分の部分発光ブロックとでは、合成の輝度は、輝度固定水平ブロック１１の輝度と輝度可変垂直ブロック２２の輝度との和となる。この上端略中央の部分発光ブロックと下端略中央の部分発光ブロックでは、輝度可変垂直ブロック２２による部分駆動制御が行われることとなる。
【００７０】
四隅の部分発光ブロックでは、合成の輝度は、輝度固定水平ブロック１１の輝度と非発光垂直ブロック２３の輝度との和となる。このため、合成の輝度は、実質上、輝度固定水平ブロック１１の輝度と同一となる。この四隅の部分発光ブロックでは、部分駆動制御は行われずに、常時一定の輝度となる。なお、図１７および図１８では、輝度固定水平ブロック１１を常時最大輝度となるように発光制御している例を示しているが、輝度固定水平ブロック１１を最大輝度以外の輝度にしてもよい。
【００７１】
その他の構成、動作、ならびに効果は、上記比較例、または上記第１の実施の形態に係る照明装置と略同様であってもよい。
【００７２】
＜３．第３の実施の形態＞
次に、本開示の第３の実施の形態に係る照明装置について説明する。なお、以下では、上記第１または第２の実施の形態に係る照明装置の構成要素と略同じ部分については、同一符号を付し、適宜説明を省略する。
【００７３】
図１９は、本開示の第３の実施の形態に係る照明装置１Ａに用いられるＬＥＤパッケージ７０の概略を示している。図２０は、図１９に示したＬＥＤパッケージ７０の等価回路を示している。
【００７４】
ＬＥＤパッケージ７０は、少なくとも１つの第１のＬＥＤチップ７１と少なくとも１つの第２のＬＥＤチップ７２とが１つにパッケージ化された構成となっている。
【００７５】
第１のＬＥＤチップ７１と第２のＬＥＤチップ７２は、基板７３上において封止部材８０で封止されている。第１のＬＥＤチップ７１と第２のＬＥＤチップ７２は、例えば青色ＬＥＤチップとなっている。封止部材８０は、例えば透明な樹脂材料である。封止部材８０には、例えば黄色光を発する黄色蛍光体が分散されている。ＬＥＤパッケージ７０は、例えば、青色ＬＥＤチップからの青色光と黄色蛍光体による黄色光との合成によって白色光を発する。封止部材８０には光を拡散させるための拡散剤が分散されていてもよい。
【００７６】
第１のＬＥＤチップ７１は、アノード８１とカソード８３とに接続されている。アノード８１とカソード８３間には、第１の駆動電流ＩＦ１が流れる。第２のＬＥＤチップ７２は、アノード８２とカソード８４とに接続されている。アノード８２とカソード８４間には、第１の駆動電流ＩＦ１とは独立した第２の駆動電流ＩＦ２が流れる。これにより、第１のＬＥＤチップ７１と第２のＬＥＤチップ７２は、それぞれ独立して発光制御可能となっている。
【００７７】
図２１は、図１９に示したＬＥＤパッケージ７０を用いた本実施の形態に係る照明装置１Ａの概略を示している。
【００７８】
複数の水平ブロック１０のそれぞれと複数の垂直ブロック２０のそれぞれとが部分的に重なり合うことで形成される部分発光ブロック１０１に、少なくとも１つのＬＥＤパッケージ７０を配置する。この場合、図８における発光素子３１を第１のＬＥＤチップ７１とし、発光素子３２を第２のＬＥＤチップ７２とすることで、１つの部分発光ブロック１０１に配置される発光部３０を少なくとも１つのＬＥＤパッケージ７０によって構成することができ、上記第１の実施の形態に係る照明装置１（図８）と同等の照明装置を、例えば図２１の照明装置１Ａの構成で実現できる。
【００７９】
図２１の照明装置１Ａでは、１つの部分発光ブロック１０１に、１つのＬＥＤパッケージ７０を配置した例を示している。照明装置１Ａは、水平方向Ｘに延在する複数のＬＥＤ基板７４を有している。複数のＬＥＤ基板７４のそれぞれに、複数のＬＥＤパッケージ７０が設けられている。
【００８０】
複数のＬＥＤ基板７４のそれぞれにおいて、水平方向Ｘに隣り合うＬＥＤパッケージ７０内における第１のＬＥＤチップ７１同士が互いに接続されている。これにより、１つの水平ブロック１０内に複数の第１のＬＥＤチップ７１が配列されている。
【００８１】
また、垂直方向Ｙに隣り合うＬＥＤパッケージ７０内における第２のＬＥＤチップ７２同士が配線７５によって互いに接続されている。これにより、１つの垂直ブロック２０内に複数の第２のＬＥＤチップ７２が配列されている。
【００８２】
その他の構成、動作、ならびに効果は、上記比較例、上記第１または第２の実施の形態に係る照明装置と略同様であってもよい。
【００８３】
＜４．第４の実施の形態＞
次に、本開示の第４の実施の形態に係る照明装置について説明する。なお、以下では、上記第１ないし第３の実施の形態に係る照明装置の構成要素と略同じ部分については、同一符号を付し、適宜説明を省略する。
【００８４】
図２２は、本開示の第４の実施の形態に係る照明装置１Ｂの概略を示している。図２３は、照明装置１Ｂにおける水平ブロック１０の概略を示している。図２４は、照明装置１Ｂにおける垂直ブロック２０の概略を示している。図２５は、照明装置１Ｂによって形成される部分発光ブロック１０１の概略を示している。なお、図２２〜図２５では、隣り合うＬＥＤパッケージ７０同士を接続する配線等の図示を省略している。
【００８５】
照明装置１Ｂは、上記第３の実施の形態に係る照明装置１Ａと同様に、複数のＬＥＤパッケージ７０を用いた構成とされている。ＬＥＤパッケージ７０を用いる場合、１つの水平ブロック１０内に含まれる第１のＬＥＤチップ７１の数と、１つの垂直ブロック２０内に含まれる第２のＬＥＤチップ７２の数とを同じにすることが好ましい。１つの水平ブロック１０内に含まれる第１のＬＥＤチップ７１の数と、１つの垂直ブロック２０内に含まれる第２のＬＥＤチップ７２の数とが異なる場合、図１０の回路構成例のように、水平ブロック１０用の昇圧回路６０Ａと、垂直ブロック２０用の昇圧回路６０Ｂとを別々に設けることが必要とされ得る。１つの水平ブロック１０内に含まれる第１のＬＥＤチップ７１の数と、１つの垂直ブロック２０内に含まれる第２のＬＥＤチップ７２の数とを同じにすることで、図９の回路構成例のように、複数の水平ブロック１０と複数の垂直ブロック２０とで共通の昇圧回路６０を用いることができる。
【００８６】
図２２の構成例では、水平方向Ｘに１０個のＬＥＤパッケージ７０を配置し、垂直方向Ｙに５個のＬＥＤパッケージ７０を配置している。この場合、仮に、水平方向Ｘの１行分の１０個のＬＥＤパッケージ７０内の第１のＬＥＤチップ７１を１つの水平ブロック１０とし、垂直方向Ｙの１列分の５個のＬＥＤパッケージ７０内の第２のＬＥＤチップ７２を１つの垂直ブロック２０とした場合、１つの水平ブロック１０内に含まれる第１のＬＥＤチップ７１の数と、１つの垂直ブロック２０内に含まれる第２のＬＥＤチップ７２の数とが異なることとなる。
【００８７】
そこで、垂直方向Ｙの２列分の１０個のＬＥＤパッケージ７０内の第２のＬＥＤチップ７２を１つの垂直ブロック２０とすることが好ましい。これにより、１つの水平ブロック１０内に含まれる第１のＬＥＤチップ７１の数と、１つの垂直ブロック２０内に含まれる第２のＬＥＤチップ７２の数とを同じにすることができる。
【００８８】
これにより、照明装置１Ｂでは、５個の水平ブロック１０（Ｈ０〜Ｈ４）と５個の垂直ブロック２０（Ｖ０〜Ｖ４）とが形成される。５個の水平ブロック１０（Ｈ０〜Ｈ４）と５個の垂直ブロック２０（Ｖ０〜Ｖ４）とが互いに部分的に重なり合うことで、図２５に示したように、合計２５個の部分発光ブロック１０１が形成されている。１つの部分発光ブロック１０１には、２つのＬＥＤパッケージ７０が配置されている。１つの部分発光ブロック１０１には、２つの第１のＬＥＤチップ７１と、２つの第２のＬＥＤチップ７２とが配置されることとなる。
【００８９】
本実施の形態に係る照明装置１Ｂでは、必要とされる制御素子４０の数は１０個のみでよい（水平方向Ｘにつき５つ＋垂直方向Ｙにつき５つ）。
【００９０】
同様に、本実施の形態に係る照明装置１Ｂでは、必要とされる駆動回路５０のｃｈ数は１０個のみでよい（水平ブロック１０について５つ＋垂直ブロック２０について５つ）。このため、例えば１つの駆動回路５０が６ｃｈ分の制御機能を有している場合、５つの水平ブロック１０と５つの垂直ブロック２０とを駆動するためには、２つの駆動回路５０のみでよい。
【００９１】
その他の構成、動作、ならびに効果は、上記比較例、または上記第１ないし第３の実施の形態に係る照明装置と略同様であってもよい。
【００９２】
＜５．第５の実施の形態＞
次に、本開示の第５の実施の形態に係る照明装置の適用例について説明する。なお、以下では、上記第１ないし第４の実施の形態に係る照明装置の構成要素と略同じ部分については、同一符号を付し、適宜説明を省略する。
【００９３】
図２６は、本開示の第５の実施の形態に係る表示装置３０１の概略を示している。図２７は、本実施の形態に係る表示装置３０１の内部構成の一例を示している。
【００９４】
表示装置３０１は、例えばテレビジョン装置であり、図２６に示したように、表示部３０２と、スタンド３０３とを備えている。
【００９５】
表示部３０２は、例えば図２７に示したように、表示パネル２００と、照明装置２０１と、表示パネル２００と照明装置２０１との間に配置された複数の光学シートとを備えている。複数の光学シートは、例えば、拡散板２０２と、拡散シート２０３と、プリズムシート２０４と、偏光反射シート２０５とを有してる。
【００９６】
表示パネル２００は、例えば透過型の液晶表示パネルであり、照明装置２０１をバックライトとして、照明装置２０１からの照明光に基づいて画像を表示する。複数の光学シートは、照明光の輝度分布の均一化や照明光の利用効率の向上のために設けられている。
【００９７】
照明装置２０１は、フレーム２１１と、フレーム２１１の表面に配置された反射シート２１２とを有している。
【００９８】
また、照明装置２０１は、反射シート２１２を介してフレーム２１１の表面に配置された複数のＬＥＤ基板２１３を有している。複数のＬＥＤ基板２１３のそれぞれには、複数のＬＥＤパッケージ２１４と、複数のＬＥＤパッケージ２１４のそれぞれの上に配置された複数の光源用レンズ２１５とが設けられている。
【００９９】
ＬＥＤパッケージ２１４は、上記第３の実施の形態に係る照明装置におけるＬＥＤパッケージ７０（図１９）と略同様の構成を適用可能であり、１つのＬＥＤパッケージ２１４内には、少なくとも２つのＬＥＤチップが設けられている。同一のＬＥＤ基板２１３上にある隣り合うＬＥＤパッケージ２１４内における少なくとも１つのＬＥＤチップ同士は互いに接続されている。複数のＬＥＤ基板２１３間の同一方向にある隣り合うＬＥＤパッケージ２１４内における少なくとも他の１つのＬＥＤチップ同士は、導線２１６によって互いに接続されている。これにより、照明装置２０１は、上記第１ないし第４の実施の形態に係る照明装置と略同様の部分駆動制御の手法を適用可能である。
【０１００】
なお、本開示の照明装置は、テレビジョン用途以外の表示装置にも適用可能である。例えば、各種モニタ装置や、携帯端末機器の表示部のバックライトとしても適用可能である。また、本開示の照明装置は、表示装置以外の照明用途としても適用可能である。
【０１０１】
その他の構成、動作、ならびに効果は、上記比較例、または上記第１ないし第４の実施の形態に係る照明装置と略同様であってもよい。
【０１０２】
＜６．その他の実施の形態＞
本開示による技術は、上記各実施の形態の説明に限定されず種々の変形実施が可能である。
【０１０３】
例えば、上記第３の実施の形態では、発光部３０をＬＥＤパッケージ７０によって構成する例を説明したが、ＬＥＤパッケージ７０に代えて、パッケージ化されていないベアチップタイプのＬＥＤを用いてもよい。
【０１０４】
また例えば、本技術は以下のような構成を取ることもできる。
（１）
それぞれが第１の方向に配列された複数の第１の発光素子を含む複数の第１の発光ブロックと、
それぞれが前記第１の方向とは異なる第２の方向に配列された複数の第２の発光素子を含み、それぞれが前記複数の第１の発光ブロックのそれぞれと部分的に重なり合う複数の第２の発光ブロックと、
前記第１の発光ブロックごとに前記複数の第１の発光素子を発光制御すると共に、前記第２の発光ブロックごとに前記複数の第２の発光素子を発光制御する発光制御部と
を備える
照明装置。
（２）
前記複数の第１の発光ブロックのそれぞれと前記複数の第２の発光ブロックのそれぞれとが重なり合うことによって前記第１の方向と前記第２の方向とに複数の部分発光ブロックが形成されている
上記（１）に記載の照明装置。
（３）
前記複数の部分発光ブロックにはそれぞれ、少なくとも１つの前記第１の発光素子と少なくとも１つの前記第２の発光素子とが配置されている
上記（２）に記載の照明装置。
（４）
前記部分発光ブロックには、前記第１の発光素子と前記第２の発光素子とがそれぞれ独立して発光制御可能な状態で１つにパッケージ化されて配置されている
上記（３）に記載の照明装置。
（５）
前記第１の発光素子は第１のＬＥＤチップからなり、
前記第２の発光素子は前記第１のＬＥＤチップとは独立して発光制御される第２のＬＥＤチップからなり、
前記複数の部分発光ブロックにはそれぞれ、少なくとも１つの前記第１のＬＥＤチップと少なくとも１つの前記第２のＬＥＤチップとが１つにパッケージ化されたＬＥＤパッケージが、少なくとも１つ配置されている
上記（３）または（４）に記載の照明装置。
（６）
前記部分発光ブロックの輝度は、前記部分発光ブロック内に配置された前記第１の発光素子の発光輝度と前記部分発光ブロック内に配置された前記第２の発光素子の発光輝度との和である
上記（３）ないし（５）のいずれか１つに記載の照明装置。
（７）
前記発光制御部は、
前記複数の第１の発光ブロックのうちの一部の第１の発光ブロック内の前記第１の発光素子の発光輝度と、前記複数の第２の発光ブロックのうちの一部の第２の発光ブロック内の前記第２の発光素子の発光輝度とを一定の輝度となるように発光制御し、
前記一部の第１の発光ブロック以外の前記第１の発光ブロック内の前記第１の発光素子の発光輝度と、前記一部の第２の発光ブロック以外の前記第２の発光ブロック内の前記第２の発光素子の発光輝度とを可変制御する
上記（３）ないし（６）のいずれか１つに記載の照明装置。
（８）
前記複数の第１の発光ブロックは前記第２の方向に並列的に設けられ、前記複数の第１の発光ブロックのうち、少なくとも前記第２の方向における両端に位置する発光ブロックが前記一部の第１の発光ブロックとされている
上記（７）に記載の照明装置。
（９）
前記複数の第２の発光ブロックは前記第１の方向に並列的に設けられ、前記複数の第２の発光ブロックのうち、少なくとも前記第１の方向における両端に位置する発光ブロックが前記一部の第２の発光ブロックとされている
上記（７）または（８）に記載の照明装置。
（１０）
前記一部の第１の発光ブロックまたは前記一部の第２の発光ブロックに代えて、それぞれが前記複数の第２の発光ブロックまたは前記複数の第１の発光ブロックのそれぞれと部分的に重なり合う複数の非発光ブロックをさらに備え、
前記発光制御部は、
前記一部の第１の発光ブロック内の前記第１の発光素子または前記一部の第２の発光ブロック内の前記第２の発光素子の発光輝度を一定の輝度となるように発光制御する
上記（７）に記載の照明装置。
（１１）
照明装置と、
前記照明装置からの照明光に基づいて画像を表示する表示パネルと
を含み、
前記照明装置は、
それぞれが第１の方向に配列された複数の第１の発光素子を含む複数の第１の発光ブロックと、
それぞれが前記第１の方向とは異なる第２の方向に配列された複数の第２の発光素子を含み、それぞれが前記複数の第１の発光ブロックのそれぞれと部分的に重なり合う複数の第２の発光ブロックと、
前記第１の発光ブロックごとに前記複数の第１の発光素子を発光制御すると共に、前記第２の発光ブロックごとに前記複数の第２の発光素子を発光制御する発光制御部と
を備える
表示装置。
【０１０５】
本出願は、日本国特許庁において２０１７年５月１５日に出願された日本特許出願番号第２０１７−０９６２２７号を基礎として優先権を主張するものであり、この出願のすべての内容を参照によって本出願に援用する。
【０１０６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018211808.tif 000003
【図２】
2018211808.tif 000004
【図３】
2018211808.tif 000005
【図４】
2018211808.tif 000006
【図５】
2018211808.tif 000007
【図６】
2018211808.tif 000008
【図７】
2018211808.tif 000009
【図８】
2018211808.tif 000010
【図９】
2018211808.tif 000011
【図１０】
2018211808.tif 000012
【図１１】
2018211808.tif 000013
【図１２】
2018211808.tif 000014
【図１３】
2018211808.tif 000015
【図１４】
2018211808.tif 000016
【図１５】
2018211808.tif 000017
【図１６】
2018211808.tif 000018
【図１７】
2018211808.tif 000019
【図１８】
2018211808.tif 000020
【図１９】
2018211808.tif 000021
【図２０】
2018211808.tif 000022
【図２１】
2018211808.tif 000023
【図２２】
2018211808.tif 000024
【図２３】
2018211808.tif 000025
【図２４】
2018211808.tif 000026
【図２５】
2018211808.tif 000027
【図２６】
2018211808.tif 000028
【図２７】
2018211808.tif 000029
【国際調査報告】
2018211808.tif 000030
2018211808.tif 000031
2018211808.tif 000032
2018211808.tif 000033